(57)【要約】【課題】優れた強度と外観品質を得ることが可能な、ＦＲＰ複合材、ＦＲＰプリフォーム、及びＦＲＰ基材を提供する。【解決手段】複数の層が積層方向Ｚに積層されてなるＦＲＰ基材１である。複数の層は、強化繊維Ｆが直線状に引き揃えられている１つ以上の第１の層Ｌ１と、強化繊維Ｆが積層方向Ｚと直交する方向の振幅Ａをもって蛇行している１つ以上の第２の層Ｌ２と、から構成されている。そして、積層方向Ｚにおいて最も外側に位置する層Ｌｓの少なくともいずれか一方は、第２の層Ｌ２から構成されている。【選択図】図２
2020157615.tif 000002
【特許請求の範囲】
【請求項１】
板状のＦＲＰ複合材であって、
少なくとも一部に厚さ方向に湾曲した湾曲部を有し、
該湾曲部は、
強化繊維が直線状に引き揃えられている１つ以上の第１の層と、
強化繊維が引き揃えられ、かつ、前記厚さ方向と直交する方向の振幅をもって蛇行している１つ以上の第２の層と、
から構成されており、
前記湾曲部の曲率半径方向において最も外側に位置する最外層及び最も内側に位置する最内層の少なくともいずれか一方が、前記第２の層から構成されていることを特徴とするＦＲＰ複合材。
【請求項２】
前記最内層が前記第２の層から構成され、
前記最内層と前記曲率半径方向外側に隣り合う層が前記第１の層から構成されていることを特徴とする請求項１に記載のＦＲＰ複合材。
【請求項３】
板状のＦＲＰプリフォームであって、
少なくとも一部に厚さ方向に湾曲した湾曲部を有し、
該湾曲部は、
強化繊維が直線状に引き揃えられている１つ以上の第１の層と、
強化繊維が引き揃えられ、かつ、前記厚さ方向と直交する方向の振幅をもって蛇行している１つ以上の第２の層と、
から構成されており、
前記湾曲部の曲率半径方向において最も外側に位置する最外層及び最も内側に位置する最内層の少なくともいずれか一方が、前記第２の層から構成されていることを特徴とするＦＲＰプリフォーム。
【請求項４】
前記最内層が前記第２の層から構成され、
前記最内層と前記曲率半径方向外側に隣り合う層が前記第１の層から構成されていることを特徴とする請求項３に記載のＦＲＰプリフォーム。
【請求項５】
引き揃えられた強化繊維と、該強化繊維に含浸された樹脂と、からそれぞれ構成される複数の層が積層方向に積層されてなるＦＲＰ基材であって、
前記複数の層は、
前記強化繊維が直線状に引き揃えられている１つ以上の第１の層と、
前記強化繊維が前記積層方向と直交する方向の振幅をもって蛇行している１つ以上の第２の層と、
から構成されており、
前記積層方向において最も外側に位置する層の少なくともいずれか一方が、前記第２の層から構成されていることを特徴とするＦＲＰ基材。
【請求項６】
前記積層方向において最も外側に位置し、かつ、前記第２の層から構成された層と前記積層方向に隣り合う層が、前記第１の層から構成されていることを特徴とする請求項５に記載のＦＲＰ基材。
【発明の詳細な説明】
【技術分野】
【０００１】
本発明は、繊維強化プラスチック複合材、繊維強化プラスチックプリフォーム、及び繊維強化プラスチック中間基材に関する。以下、繊維強化プラスチック複合材を「ＦＲＰ複合材」、繊維強化プラスチックプリフォームを「ＦＲＰプリフォーム」、繊維強化プラスチック中間基材を「ＦＲＰ基材」とそれぞれ称する。
【背景技術】
【０００２】
特許文献１は、強化繊維を一方向に引き揃えて平面に整列すると共にその面内で強化繊維を周期的に屈曲せしめた状態で樹脂を含浸・固定した屈曲繊維強化プリプレグシートを開示している。
【先行技術文献】
【特許文献】
【０００３】
【特許文献１】国際公開第２０１６／２０８４５０号
【発明の概要】
【発明が解決しようとする課題】
【０００４】
上記屈曲繊維強化プリプレグシートは、成形時、屈曲した強化繊維が展開するように伸びることで面内伸張可能である。このため、三次元曲面形状に成形した場合にも優れた外観品質を得ることができる。一方、その強化繊維は、成形後においても屈曲した状態にあるため、屈曲繊維強化プリプレグシートから高強度の成形品を得ることは難しい。
【０００５】
本発明の目的は、優れた強度と外観品質を得ることが可能な、ＦＲＰ複合材、ＦＲＰプリフォーム、及びＦＲＰ基材を提供することにある。
【課題を解決するための手段】
【０００６】
本発明の一態様は、厚さ方向に湾曲した湾曲部を有する板状のＦＲＰ複合材である。湾曲部は、強化繊維が直線状に引き揃えられている１つ以上の第１の層と、強化繊維が引き揃えられ、かつ、厚さ方向と直交する方向の振幅をもって蛇行している１つ以上の第２の層と、から構成されている。そして、湾曲部の最外層及び最内層の少なくともいずれか一方は、第２の層から構成されている。
【０００７】
本発明の他の態様は、厚さ方向に湾曲した湾曲部を有する板状のＦＲＰプリフォームである。湾曲部は、強化繊維が直線状に引き揃えられている１つ以上の第１の層と、強化繊維が引き揃えられ、かつ、厚さ方向と直交する方向の振幅をもって蛇行している１つ以上の第２の層と、から構成されている。そして、湾曲部の最外層及び最内層の少なくともいずれか一方は、第２の層から構成されている。
【０００８】
本発明のさらに他の態様は、複数の層が積層方向に積層されてなるＦＲＰ基材である。複数の層は、強化繊維が直線状に引き揃えられている１つ以上の第１の層と、強化繊維が積層方向と直交する方向の振幅をもって蛇行している１つ以上の第２の層と、から構成されている。そして、積層方向において最も外側に位置する層の少なくともいずれか一方は、第２の層から構成されている。
【発明の効果】
【０００９】
本発明によれば、優れた強度と外観品質を得ることが可能な、ＦＲＰ複合材、ＦＲＰプリフォーム、及びＦＲＰ基材を提供することができる。
【図面の簡単な説明】
【００１０】
【図１】ＦＲＰ基材の断面図である。
【図２】ＦＲＰ基材の一部断面平面図である。
【図３】ＦＲＰ基材、ＦＲＰ複合材、及びＦＲＰプリフォームの湾曲部の断面図である。
【図４】図３の湾曲部の外周面を曲率半径方向外側からみた図である。
【図５】図３の湾曲部の内周面を曲率半径方向内側からみた図である。
【発明を実施するための形態】
【００１１】
実施形態にかかるＦＲＰ基材１、ＦＲＰ複合材２、及びＦＲＰプリフォーム３について、図１〜図５を参照して説明する。なお、以下の説明では、同一の機能を有する要素については同一の符号を付し、重複する説明を省略する。
【００１２】
＜ＦＲＰ基材＞
ＦＲＰ基材１は、プレス成形等によって成形品であるＦＲＰ複合材２、または予備成形品であるＦＲＰプリフォーム３に成形される中間基材である。ＦＲＰ複合材２及びＦＲＰプリフォーム３については、後述する。
【００１３】
ＦＲＰ基材１は、図１及び図２に示すように、複数のプリプレグシートｐが積層方向Ｚに積層されて構成された積層体Ｓである。各プリプレグシートｐは、積層方向Ｚと直交する方向に引き揃えられた連続繊維である強化繊維Ｆと、強化繊維Ｆに含浸された半硬化状態の樹脂Ｒと、から構成されている。以下、積層方向Ｚと直交する方向、すなわち厚さ方向と直交する方向、或いはＸＹ面に平行な方向を「面方向」とも称する。
【００１４】
強化繊維Ｆの材料は、特に限定されず、例えば、炭素繊維、ガラス繊維、ポリアラミド繊維、アルミナ繊維、シリコンカーバイド繊維、ボロン繊維、炭化ケイ素繊維などを用いることができる。炭素繊維は、例えば、ポリアクリロニトリル（ＰＡＮ系）、ピッチ系、セルロース系、炭化水素による気相成長系炭素繊維、黒鉛繊維などを用いることができる。これらの繊維を２種類以上組み合わせて用いてもよい。
【００１５】
マトリックス材である樹脂Ｒの材料は、特に限定されず、例えば、エポキシ樹脂、フェノール樹脂、不飽和ポリエステル樹脂、ビニルエステル樹脂、ポリイミド樹脂、ポリカーボネート樹脂、ポリアミド樹脂、ポリフェニレンスルフィド（ＰＰＳ）樹脂など公知の熱硬化性樹脂や熱可塑性樹脂を用いることができる。
【００１６】
積層体Ｓは、強化繊維Ｆの形態が互いに異なる２種類の層、具体的には、第１の層Ｌ１（以下、「層Ｌ１」と称する）と、第２の層Ｌ２（以下、「層Ｌ２」と称する）と、から構成されている。積層体Ｓでは、積層方向Ｚにおいて最も外側に位置する２つの最表層Ｌｓの両方が、層Ｌ２から構成されている。そして、最表層Ｌｓと積層方向Ｚ内側に隣り合う層Ｌｓａが、層Ｌ１から構成されている。なお、最表層Ｌｓ及びこれと隣り合う層Ｌｓａ以外の層における層Ｌ１，Ｌ２の数及び積層順序は、特に限定されず、成形品に要求される強度、剛性等に応じて適宜設定できる。本実施形態にかかる積層体Ｓでは、最表層Ｌｓ以外のコア層はすべて層Ｌ１から構成されている。
【００１７】
層Ｌ１は、強化繊維Ｆが一方向に引き揃えられ、直線状かつ互いに略平行に延在している層である。積層体Ｓの最表層Ｌｓ以外のコア層では、複数の層Ｌ１が互いに角度を変えて積層されている。複数の層Ｌ１は、例えば、図２に示すように、積層方向Ｚの一方側から順に、繊維配向角が９０°／−４５°／４５°・・・となるように積層することができる。なお、繊維配向角の組み合わせ及び積層順序は、これに限らない。例えば、各層Ｌ１の繊維配向角は、すべての層Ｌ１と、後述する、強化繊維Ｆが伸長した状態の層Ｌ２との組み合わせによって、成形品が等方的な強度特性を得ることができるように選択されてもよい。
【００１８】
層Ｌ２は、強化繊維Ｆが面方向に幾何学的周期性をもって蛇行している層である。層Ｌ２では、引き揃えられた強化繊維Ｆが、互いに略平行な状態を維持しつつ、各々が面方向の振幅Ａをもって蛇行しながら延在している。蛇行した強化繊維Ｆの延在方向、すなわち０°の方向をＸ方向とし、面方向のうちこれと直交する方向、すなわち９０°の方向をＹ方向とすると、強化繊維Ｆの蛇行の波形は、Ｘ方向に一定のピッチＰで並び、Ｙ方向に振幅Ａをもつ。ピッチＰ及び振幅Ａの大きさは、特に限定されないが、例えば、ピッチＰは１０〜５０ｍｍ、振幅Ａは２〜３０ｍｍである。本実施形態の波形は、三角波状であり、振幅Ａを規定する頂部Ｆｐと、頂部Ｆｐ同士を結ぶ辺部Ｆｓとを有する。なお、波形は、三角波の他、サイン波、矩形波、ノコギリ波などであってもよい。蛇行した強化繊維Ｆは、上記特許文献１に記載された方法など公知の方法で形成することができる。
【００１９】
以下、本実施形態の作用効果について説明する。
【００２０】
（１）ＦＲＰ基材１によれば、図２に示すように、最表層Ｌｓの強化繊維Ｆが、面方向の振幅Ａをもって蛇行している。従って、成形時、最表層Ｌｓの強化繊維ＦにＸ方向の引張荷重が作用した場合、強化繊維Ｆの波形は、ピッチＰを拡大し、かつ、振幅Ａを縮小させるように変形する（図４参照）。これにより、最表層Ｌｓの強化繊維Ｆは、繊維長不足を生じさせることなく、見かけ上、Ｘ方向に沿って一様に伸長することができる。また、成形時、最表層Ｌｓの強化繊維ＦにＸ方向の圧縮荷重が作用した場合は、強化繊維Ｆの波形は、ピッチＰを縮小し、かつ、振幅Ａを拡大させるように変形する（図５参照）。これにより、最表層Ｌｓの強化繊維Ｆは、局所的な繊維座屈を生じさせることなく、見かけ上、Ｘ方向に沿って一様に収縮することができる。
【００２１】
例えば、ＦＲＰ基材１を湾曲部Ｂ（図３参照）に成形するべく、厚さ方向に湾曲変形させた場合には、湾曲部Ｂの曲率半径方向ｒにおいて最も外側に位置する最外層Ｌｏに引張応力が発生し、同方向ｒにおいて最も内側に位置する最内層Ｌｉには圧縮応力が発生する。このような場合においても、ＦＲＰ基材１によれば、最外層Ｌｏとなる最表層Ｌｓの強化繊維Ｆは、図４に示すように一様に伸長することができ、最内層Ｌｉとなる最表層Ｌｓの強化繊維Ｆは、図５に示すように一様に収縮することができる。これにより、最内層Ｌｉの繊維余りによる座屈や、最外層Ｌｏの繊維長不足による曲率半径方向ｒ内側への繊維の引き込み等を抑制することができ、成形品の外観品質を向上させることができる。
【００２２】
また、ＦＲＰ基材１では、直線状に引き揃えられた強化繊維Ｆを有する層Ｌ１がコア層を構成しているため、蛇行した強化繊維Ｆでコア層を構成した場合よりも、成形品の強度を高めることができる。すなわち、ＦＲＰ基材１によれば、成形品の高強度化と外観品質向上とを両立して実現することができる。
【００２３】
（２）また、ＦＲＰ基材１では、最表層Ｌｓが層Ｌ２から構成され、これと積層方向Ｚに隣り合う層Ｌｓａが、層Ｌ１から構成されている。このため、最表層Ｌｓにおける蛇行した強化繊維Ｆ（以下、「波形状繊維」とも称する）と、直線状に引き揃えられた強化繊維Ｆ（以下、「直線状繊維」とも称する）とが積層方向Ｚに隣り合って接する。
【００２４】
従って、成形時、軟化した樹脂Ｒの中を、波形状繊維が波形を変形させつつ直線状繊維に対して相対移動する際、波形状繊維は、直線状繊維によって面外方向（積層方向Ｚ）への相対移動を規制されつつ、面方向に相対移動するようにガイドされる。具体的には、層Ｌ１と層Ｌ２と境界面では、層Ｌ１側で並列する直線状繊維と、層Ｌ２側で並列する波形状繊維とが当接する。そして、並列する直線状繊維が形成する面は、並列する波形状繊維が形成する面よりも繊維の蛇行がない分滑らかであり、当接する波形状繊維の相対移動を阻害しにくい。従って、並列する直線状繊維が形成する面に当接する波形状繊維は、並列する波形状繊維が形成する面に当接する波形状繊維よりも、成形時、波形状繊維が当接する面に対して引っ掛かりを生じさせることなく滑り移動しやすく、繊維配列の乱れが生じにくい。
【００２５】
特に、最表層Ｌｓが湾曲部Ｂの最内層Ｌｉとなる場合は、成形時、波形状繊維に対して、延在方向（Ｘ方向）に圧縮力が作用するため、強化繊維Ｆが樹脂Ｒの中を移動する際の繊維の移動方向が不安定になりやすい。例えば、頂部Ｆｐは、当該頂部Ｆｐに接続された２つの辺部Ｆｓに押されながらＹ方向に移動しようとするが、２つの辺部Ｆｓに押された頂部Ｆｐは不安定平衡の状態にあるため、その移動方向はともすれば面外方向にそれやすい。このような場合においても、ＦＲＰ基材１によれば、最表層Ｌｓに隣接する層Ｌｓａの直線状繊維が、最表層Ｌｓの波形状繊維の移動方向を制御する。具体的には、最表層Ｌｓの強化繊維Ｆが隣接する層Ｌｓａの内部へ侵入するのを、隣接する層Ｌｓａの直線状繊維によって抑制することができる。これにより、成形品の外観品質がさらに向上する。
【００２６】
（３）さらに、ＦＲＰ基材１では、最表層Ｌｓである層Ｌ２の波形状繊維の延在方向（Ｘ方向）と、最表層Ｌｓに隣接する層Ｌｓａである層Ｌ１の直線状繊維の延在方向（Ｙ方向）とが直交している。すなわち、最表層Ｌｓの波形状繊維が成形時に延在方向の圧縮荷重を受けて変形する際に頂部Ｆｐが移動する方向と、直線状繊維の延在方向とが一致している。このため、頂部Ｆｐは、隣接する層Ｌｓａの直線状繊維によって滑らかにガイドされ、安定性よくＹ方向に移動することができる。これにより、成形品の外観品質がより一層向上する。
【００２７】
＜変形例＞
なお、本実施形態にかかるＦＲＰ基材１では、２つの最表層Ｌｓの両方が層Ｌ２から構成されていたが、最表層Ｌｓの少なくともいずれか一方が、層Ｌ２から構成されていればよい。この場合にも、層Ｌ２から構成された最表層Ｌｓにおいて、上記（１）の効果を得ることができる。
【００２８】
また、ＦＲＰ基材１では、層Ｌ１が複数積層されていたが、層Ｌ１は１つ以上あればよい。さらに、ＦＲＰ基材１では、最表層Ｌｓが１つの層Ｌ２から構成されていたが、最表層Ｌｓは、複数の層Ｌ２から構成されてもよい。これらいずれの場合においても、最表層Ｌｓを構成する層Ｌ２と、層Ｌｓａを構成する層Ｌ１とが積層方向Ｚに隣り合うことになるため、上記（２）の効果を得ることができる。また、ＦＲＰ基材１では、最表層Ｌｓ以外のコア層が複数の層Ｌ１から構成されていたが、これら複数の層Ｌ１同士の間には、層Ｌ２を介在させてもよい。介在する層Ｌ２とこれに隣接する層Ｌ１との間で、上記（２）と同様の効果を得ることができる。
【００２９】
ＦＲＰ基材１の最表層Ｌｓを複数の層Ｌ２から構成する場合は、例えば、最表層Ｌｓにおいて等方的な強度特性を得るべく、各層Ｌ２の波形状繊維の延在方向が、積層方向Ｚの外側から順に、９０°／−４５°／４５°／０°なるように積層してもよい。この場合にも、最表層Ｌｓと層Ｌｓａとの境界面において、波形状繊維の延在方向（Ｘ方向）と直線状繊維の延在方向（Ｙ方向）とが直交することとなるため、上記（３）の効果を得ることができる。
【００３０】
＜ＦＲＰ複合材＞
次に、他の実施形態にかかるＦＲＰ複合材２について説明する。ＦＲＰ複合材２は、図３に示すように、板状の部材であって、少なくとも一部に厚さ方向に湾曲した湾曲部Ｂを有する。なお、湾曲部Ｂの形状は、図示したものに限らず、位置に応じて曲率半径が変化するもの、或いは、三次元曲面形状等であってもよい。また、ＦＲＰ複合材２における湾曲部Ｂ以外の部分の形状は、特に限定されず、平板状であってもよい。
【００３１】
ＦＲＰ複合材２は、上記のＦＲＰ基材１から得られた成形品である。従って、湾曲部Ｂは、２つの層Ｌ２と、それらの間に積層された複数の層Ｌ１と、から構成されている。層Ｌ１では、強化繊維Ｆが面方向に沿って直線状に引き揃えられている。湾曲部Ｂの面方向とは、湾曲部Ｂの厚さ方向と直交する方向、すなわち、層Ｌ１，Ｌ２の積層方向Ｚと直交する方向、或いは、曲率半径方向ｒと直交する方向である。面方向に沿って直線状であるとは、ＦＲＰ基材１を湾曲させる前の平坦な状態に戻した状態において、或いは、湾曲部Ｂを仮想的に平面展開した状態において直線状であることを意味する。
【００３２】
また、層Ｌ２では、強化繊維Ｆが引き揃えられ、かつ、面方向の振幅Ａをもって蛇行している。本実施形態では、層Ｌ２の強化繊維Ｆの延在方向（Ｘ方向）が、湾曲部Ｂの表面の最大曲率線の方向（θ方向）と一致している。なお、層Ｌ２の強化繊維Ｆは、湾曲部Ｂの厚さ方向視において、湾曲部Ｂを横断するように延在していればよく、その延在方向は、必ずしも湾曲部Ｂの最大曲率線と一致していなくてもよい。最大曲率線とは、曲面において、断面の曲率（法曲率）が最大となる方向を連続して辿って得られる曲線である。他、ＦＲＰ複合材２の層Ｌ１，Ｌ２の強化繊維Ｆの構成は、図３〜図５を用いて説明した湾曲変形後のＦＲＰ基材１における層Ｌ１，Ｌ２の強化繊維Ｆの構成と同様であるため、説明を省略する。
【００３３】
また、ＦＲＰ複合材２では、湾曲部Ｂの最外層Ｌｏ及び最内層Ｌｉの両方が、波形状繊維を有する層Ｌ２から構成されており、最外層Ｌｏと最内層Ｌｉとの間のコア層が、直線状繊維を有する層Ｌ１から構成されている。さらに、最外層Ｌｏと曲率半径方向ｒ内側に隣り合う層Ｌｏａ、及び最内層Ｌｉと曲率半径方向ｒ外側に隣り合う層Ｌｉａが、層Ｌ１から構成されている。そして、層Ｌｏａ，Ｌｉａである層Ｌ１の直線状繊維の延在方向（Ｙ方向）と、最外層Ｌｏ及び最内層Ｌｉである層Ｌ２の波形状繊維の延在方向（Ｘ方向）とが直交している。このため、ＦＲＰ複合材２は、上記（１）〜（３）の作用効果を、湾曲部Ｂにおいて得ることができる。
【００３４】
＜変形例＞
なお、本実施形態にかかるＦＲＰ複合材２では、湾曲部Ｂの最外層Ｌｏ及び最内層Ｌｉの両方が層Ｌ２から構成されていたが、最外層Ｌｏ及び最内層Ｌｉの少なくともいずれか一方が、層Ｌ２から構成されていればよい。この場合にも、当該層Ｌ２から構成された層において、上記（１）の効果を得ることができる。
【００３５】
また、ＦＲＰ複合材２では、層Ｌ１が複数積層されていたが、層Ｌ１は１つ以上あればよい。さらに、ＦＲＰ複合材２では、最外層Ｌｏ及び最内層Ｌｉがそれぞれ１つの層Ｌ２から構成されていたが、最外層Ｌｏ及び最内層Ｌｉは、それぞれ複数の層Ｌ２から構成されてもよい。これらいずれの場合においても、最外層Ｌｏ及び最内層Ｌｉを構成する層Ｌ２と、層Ｌｏａ，Ｌｉａを構成する層Ｌ１とが隣り合うことになるため、上記（２）の効果を得ることができる。また、ＦＲＰ複合材２では、最外層Ｌｏ及び最内層Ｌｉ以外のコア層が複数の層Ｌ１から構成されていたが、これら複数の層Ｌ１同士の間には、層Ｌ２を介在させてもよい。介在する層Ｌ２とこれに隣接する層Ｌ１との間で、上記（２）と同様の効果を得ることができる。
【００３６】
ＦＲＰ複合材２の最外層Ｌｏを複数の層Ｌ２から構成する場合は、例えば、最外層Ｌｏにおいて等方的な強度特性を得るべく、各層Ｌ２の波形状繊維の延在方向が、曲率半径方向ｒの外側から順に、９０°／−４５°／４５°／０°なるように積層してもよい。最内層Ｌiを複数の層Ｌ２から構成する場合も同様である。これらの場合においても、最外層Ｌｏと層Ｌｏａとの境界面、及び最内層Ｌｉと層Ｌｉａとの境界面において、波形状繊維の延在方向（Ｘ方向）と直線状繊維の延在方向（Ｙ方向）とが直交することとなるため、上記（３）の効果を得ることができる。
【００３７】
＜ＦＲＰプリフォーム＞
次に、他の実施形態にかかるＦＲＰプリフォーム３について説明する。ＦＲＰプリフォーム３は、図３に示すように、板状の部材であって、少なくとも一部に厚さ方向に湾曲した湾曲部Ｂを有する。なお、湾曲部Ｂの形状は、図示したものに限らず、位置に応じて曲率半径が変化するもの、或いは、三次元曲面形状等であってもよい。また、ＦＲＰプリフォーム３における湾曲部Ｂ以外の部分の形状は、特に限定されず、平板状であってもよい。
【００３８】
ＦＲＰプリフォーム３は、上記のＦＲＰ基材１から得られた予備成形品であり、ＦＲＰプリフォーム３をプレス成形等により本成形することで、成形品であるＦＲＰ複合材２を得ることができる。従って、湾曲部Ｂは、２つの層Ｌ２と、それらの間に積層された複数の層Ｌ１と、から構成されている。ＦＲＰプリフォーム３の湾曲部Ｂ、層Ｌ１，Ｌ２、各変形例の構成、及びそれらの構成から得られる作用効果は、上記のＦＲＰ複合材２の湾曲部Ｂ、層Ｌ１，Ｌ２、各変形例の構成、及び作用効果とそれぞれ同様であるため、説明を省略する。
【００３９】
上記実施形態及び変形例は、発明の理解を容易にするために記載された単なる例示に過ぎない。発明の技術的範囲は、上記実施形態及び変形例で開示した具体的な技術事項に限らず、そこから容易に導きうる様々な変形、変更、代替技術なども含むものである。
【符号の説明】
【００４０】
１  ＦＲＰ基材
２  ＦＲＰ複合材
３  ＦＲＰプリフォーム
Ｂ  湾曲部
Ｌ１  第１の層
Ｌ２  第２の層
Ｆ  強化繊維
Ｒ  樹脂
Ａ  振幅
ｒ  曲率半径方向
Ｌｉ  最内層
Ｌｏ  最外層
Ｌｉａ  最内層と曲率半径方向に隣り合う層
Ｌｏａ  最外層と曲率半径方向に隣り合う層
Ｚ  積層方向
Ｌｓ  最表層（積層方向において最も外側に位置する層）
Ｌｓａ  最表層と積層方向に隣り合う層
【図１】
2020157615.tif 000003
【図２】
2020157615.tif 000004
【図３】
2020157615.tif 000005
【図４】
2020157615.tif 000006
【図５】
2020157615.tif 000007